(57)【要約】【課題】硬貨による入金取引の場合の取引時間を短縮して硬貨を用いる入金取引の業務効率を向上させる手段を提供することを目的とする。【解決手段】投入された硬貨の金種の鑑別および枚数を計数する鑑別部と、該鑑別部で鑑別された硬貨を一括して一時保管する一時保留部と、該一時保留部の硬貨を金種別に収納する金種別スタッカと、該金種別スタッカが満杯となったときにその一部の硬貨を収納するオーバーフロースタッカとを備えた硬貨取扱装置において、現金振込取引のときに、投入されて前記一時保留部に送り込まれた硬貨を直接オーバーフロースタッカへ収納する。【選択図】        図４
2005208944.tif 000002
【特許請求の範囲】
【請求項１】
投入された硬貨の金種の鑑別および枚数を計数する鑑別部と、該鑑別部で鑑別された硬貨を一括して一時保管する一時保留部と、該一時保留部の硬貨を金種別に収納する金種別スタッカと、該金種別スタッカが満杯となったときにその一部の硬貨を収納するオーバーフロースタッカとを備えた硬貨取扱装置において、
現金振込取引のときに、投入されて前記一時保留部に送り込まれた硬貨を直接オーバーフロースタッカへ収納することを特徴とする硬貨取扱装置。
【請求項２】
投入された硬貨の金種の鑑別および枚数を計数する鑑別部と、該鑑別部で鑑別された硬貨を一括して一時保管する一時保留部と、該一時保留部の硬貨を金種別に収納する金種別スタッカと、該金種別スタッカが満杯となったときにその一部の硬貨を収納するオーバーフロースタッカとを備えた硬貨取扱装置において、
投入された硬貨の枚数が基準枚数以下のときに、前記一時保留部の硬貨を直接オーバーフロースタッカへ収納することを特徴とする硬貨取扱装置。
【発明の詳細な説明】
【技術分野】
【０００１】
本発明は、現金自動取引装置等に設けられている硬貨取扱装置に関する。
【背景技術】
【０００２】
従来の硬貨自動取引装置は、硬貨入出金口に投入された硬貨を繰出部により繰出して鑑別部で硬貨の金種を鑑別し、鑑別した硬貨を入金搬送部により一時保留部へ搬送して一時保管する。一時保留部に保管した硬貨は顧客がその合計金額を確認した後、出金搬送部に放出して硬貨入出金口へ搬送し、再度繰出部、識別部を経由して入金搬送部により金種別スタッカへ収納している（例えば、特許文献１参照。）。
【特許文献１】特開２００２−２１６２０７号公報（第２頁右欄２３行目−第２頁右欄２９行目、第１図）
【発明の開示】
【発明が解決しようとする課題】
【０００３】
しかしながら、上述した従来の技術においては、硬貨を入金する取引では一時保留部の硬貨を再度鑑別して金種別スタッカへ収納するため、顧客が投入した硬貨に対する釣銭の払出し等の出金動作を伴う場合、一時保留部の硬貨を金種別スタッカへ収納してから釣銭のための硬貨の出金動作を行う必要があり、顧客へ釣銭を出金するまで時間を要し、取引時間が長くなるという問題がある。
【０００４】
本発明は、上記の問題点を解決するためになされたもので、硬貨による入金取引の場合の取引時間を短縮して硬貨を用いる入金取引の業務効率を向上させる手段を提供することを目的とする。
【課題を解決するための手段】
【０００５】
本発明は、上記課題を解決するために、投入された硬貨の金種の鑑別および枚数を計数する鑑別部と、該鑑別部で鑑別された硬貨を一括して一時保管する一時保留部と、該一時保留部の硬貨を金種別に収納する金種別スタッカと、該金種別スタッカが満杯となったときにその一部の硬貨を収納するオーバーフロースタッカとを備えた硬貨取扱装置において、現金振込取引のときに、投入されて前記一時保留部に送り込まれた硬貨を直接オーバーフロースタッカへ収納することを特徴とする。
【発明の効果】
【０００６】
これにより、本発明は、金種別スタッカへ硬貨を収納する時間を省略して入金取引としての現金振込取引を迅速に進めることができ、硬貨を用いる入金取引の業務効率を向上させることができるという効果が得られる。
【発明を実施するための最良の形態】
【０００７】
以下に、図面を参照して本発明による硬貨取扱装置の実施例について説明する。
【実施例１】
【０００８】
図１は実施例１の硬貨入出金部を示す説明図、図２は実施例１の現金自動取引装置を示すブロック図、図３は実施例１の硬貨入出金部の制御系統を示すブロック図である。
図２において、１は現金自動取引装置である。
２は表示入力部であり、タッチパネル等の入力手段と取引操作等を案内する文言や硬貨の入出金処理結果等を表示する表示画面を有する。
【０００９】
３はカード取扱部であり、顧客のカードを受け入れる挿入口を有し、顧客のカードの磁気ストライプに記録されている内容を読み取ると共に取引明細票を印刷する機能を有している。
４は通帳取扱部であり。顧客の通帳の磁気ストライプに記録されている内容を読み取ると共に、取引内容等の取引データを顧客の通帳に記帳する機能を有している。
【００１０】
５は紙幣入出金部であり、顧客により投入された紙幣を受け入れ、これを鑑別、計数して集積して顧客に払出す紙幣を排出する。
６は硬貨取扱装置としての硬貨入出金部であり、顧客により投入された硬貨を受け入れ、これを鑑別、計数して収納して顧客に払出す硬貨を排出する。
７は現金自動取引装置１の主制御部であり、現金自動取引装置１の各部の制御を行う。
【００１１】
８は取引装置記憶部であり、主制御部７が実行するプログラムや制御に用いる情報を格納する。
図１および図３において１０は硬貨入出金口であり、硬貨の受入または払出のときに開放するシャッタを有している。
１１は繰出部であり、硬貨入出金口１０の下方に配置され、硬貨を分離して繰出す機能を有している。
【００１２】
１２は鑑別部であり、繰出部１１から繰出された硬貨の金種等を鑑別すると共に金種ごとに硬貨の枚数を計数する。
１３は入金搬送部であり、鑑別部１２の硬貨を一時保留部１４もしくは金種別スタッカ１５へ搬送する。
一時保留部１４は、搬送された硬貨を一括して一時保管する。
【００１３】
金種別スタッカ１５は、硬貨を金種別に収納する。
１６は出金搬送部であり、金種別スタッカ１５から繰出された硬貨を硬貨入出金口１０へ搬送する。
１７はオーバーフロースタッカであり、金種別スタッカ１５が満杯となったときにその一部の硬貨が出金搬送部１６より搬送されて収納される。
【００１４】
１８はガイド部であり、一時保留部１４の下方に設けられ一時保留部１４から放出された硬貨をオーバーフロースタッカ１７へ導くように形成されている。
１９は硬貨制御部であり、硬貨入出金部６の各部の制御を行う。
２０は硬貨記憶部であり、硬貨制御部１９が実行するプログラムや制御に用いる情報を格納する。
【００１５】
上述した構成の作用について説明する。
顧客が表示入力部２の表示画面の取引選択画面から入金取引としての現金振込取引あるいは預入取引を選択すると、主制御部７は顧客の選択した取引に対応した案内画面を表示入力部２に表示する。
顧客がそれに従って顧客のカードのカード取扱部３への挿入等の所定の手続きを終えると、主制御部７は硬貨制御部１９に硬貨受入指令を送信する。
【００１６】
硬貨受入指令を受信した硬貨制御部１９は硬貨入出金口１０のシャッタを開放し、顧客により硬貨が投入され、所定の時間が経過すると硬貨入出金口１０のシャッタを閉じて硬貨を繰出部１１に落下させ、鑑別部１２へ繰出して硬貨の金種の鑑別とその金種ごとの枚数を計数する。
硬貨制御部１９は鑑別部１２により金種の鑑別および計数した硬貨を入金搬送部１３により一時保留部１４へ搬送して保管し、鑑別部１２により計数した金種ごとの硬貨の枚数を鑑別結果として主制御部７へ送信する。
【００１７】
鑑別結果を受信した主制御部７は表示入力部２に鑑別結果の金種ごとの硬貨の枚数および合計金額等とその確認を促す文言を表示する。
顧客が投入した硬貨の合計金額等を確認して表示入力部２により確認操作を行うと、主制御部７はこれを検知して顧客が選択した取引内容と共に釣銭の払出しを要するときはその金種別枚数を添付した収納指令を硬貨制御部１９へ送信する。
【００１８】
以下に、図４に示すフローチャートを用い、Ｓで示すステップに従って本実施例の硬貨収納処理の作動について説明する。
Ｓ１、収納指令を受信した硬貨制御部１９はステップＳ２へ移行する。
Ｓ２、硬貨制御部１９は顧客が現金振込取引を選択していたらステップＳ３へ分岐し、預入取引を選択していたらステップＳ６へ移行する。
【００１９】
Ｓ３、顧客との取引を現金振込取引と認識した硬貨制御部１９は一時保留部１４に保管している硬貨をガイド部１８上に放出し、ガイド部１８により直接オーバーフロースタッカ１７に収納する。
Ｓ４、硬貨制御部１９はステップＳ１で受信した収納指令の内容から釣銭の払出しを要するときはステップＳ５へ分岐し、釣銭を払出す必要のないときはステップＳ７に移行する。
【００２０】
Ｓ５、硬貨制御部１９は釣銭として払出す硬貨を金種別スタッカ１５から出金搬送部１６に繰出し、硬貨入出金口１０へ搬送して硬貨入出金口１０のシャッタを開き、顧客が硬貨入出金口１０から硬貨を取り出した後、所定の時間が経過したら硬貨入出金口１０のシャッタを閉じてステップＳ７へ移行する。
Ｓ６、顧客との取引を預入取引と認識した硬貨制御部１９は一時保留部１４に保管している硬貨を出金搬送部１６に放出して出金搬送部１６により硬貨入出金口１０へ搬送する。そして硬貨入出金口１０に搬送した硬貨を再度繰出部１１に落下させて入金搬送部１３に繰出し、鑑別部１２を経由させて金種別スタッカ１５へ搬送し、金種別に収納する。
【００２１】
Ｓ７、硬貨制御部１９は硬貨収納処理が終了したことを終了通知として主制御部７へ送信する。
終了通知を受信した主制御部７は表示入力部２に取引が終了したことを通知する画面を表示して顧客により挿入されたカード等と共に取引明細票を排出する。そして顧客がこれらを受取った後、表示入力部２に取引選択画面を表示して待機する。
【００２２】
以上説明したように、本実施例では、入金取引としての現金振込取引を行うときに硬貨をオーバーフロースタッカに直接収納するようにしたため、硬貨を金種別スタッカへ収納する時間を省略して現金振込取引に伴う釣銭の払出しまでの顧客の待ち時間を短縮できるので、硬貨を用いる入金取引の業務の効率を向上させることができる。
【実施例２】
【００２３】
図５は実施例２の硬貨収納処理を示すフローチャートである。
なお、上記実施例１と同様の部分は、同一の符号を付してその説明を省略する。
上述した構成の作用について説明する。
上記実施例１と同様に顧客が取引選択画面から現金振込取引あるいは入金取引を選択して表示入力部２に表示される案内画面に従ってカードの挿入等の手続きを行うと、主制御部７は硬貨制御部１９に硬貨受入指令を送信する。
【００２４】
硬貨受入指令を受信した硬貨制御部１９は硬貨入出金口１０のシャッタを開放して顧客により硬貨が投入され、所定の時間が経過すると硬貨入出金口１０のシャッタを閉じ、投入された硬貨の金種を鑑別部１２により鑑別してそれぞれの金種の枚数を計数して一時保留部１４に一時保管し、硬鑑別部１２により鑑別した金種ごとの硬貨の枚数を鑑別結果として主制御部７へ送信する。
【００２５】
鑑別結果を受信した主制御部７は表示入力部２に鑑別結果の金種ごとの硬貨の枚数および合計金額等とその確認を促す文言を表示する。
本実施例では顧客が投入した硬貨の合計金額等を確認して表示入力部２により確認操作を行うと、主制御部７はこれを検知して顧客が選択した取引に対する釣銭の払出しを要する場合はその金種別枚数を添付した収納指令を硬貨制御部１８へ送信する。
【００２６】
以下に、図５に示すフローチャートを用い、ＳＡで示すステップに従って本実施例の硬貨収納処理の作動について説明する。
また、本実施例では預入取引が選択されたものとする。
ＳＡ１、収納指令を受信した硬貨制御部１９はステップＳＡ２へ移行する。
ＳＡ２、硬貨制御部１９は釣銭の払出しを要する場合はステップＳＡ３へ分岐し、釣銭の払出しの必要がないときはステップＳＡ６へ移行する。
【００２７】
ＳＡ３、釣銭の払出しを要すると認識した硬貨制御部１９は投入された硬貨を金種別スタッカ１５あるいはオーバーフロースタッカ１７に収納するため、そのどちらに収納するかを判定するために基準値としての硬貨の基準枚数（例えば１５枚）を予め定めておき、これを参照して一時保留部１４に保管している硬貨の枚数が基準枚数以下であった場合は硬貨をオーバーフロースタッカ１７に収納すると判断してステップＳＡ４へ分岐し、一時保留部１４に保管している硬貨の枚数が基準枚数を超える場合は硬貨を一時保留部１４に収納すると判断してステップＳＡ６へ移行する。
【００２８】
ＳＡ４、一時保留部１４に保管している硬貨の枚数が基準枚数以下であると認識した硬貨制御部１９はその硬貨をガイド部１８上に放出し、ガイド部１８により直接オーバーフロースタッカ１７に収納する。
ＳＡ５、硬貨制御部１９は上記実施例１のステップＳ５と同様に釣銭を硬貨入出金口１０へ搬送してシャッタを開き、顧客が硬貨入出金口１０から硬貨を取り出した後、所定の時間が経過したらシャッタを閉じてステップＳＡ７へ移行する。
【００２９】
ＳＡ６、釣銭の払出しの必要がない、あるいは一時保留部１４に保管している硬貨の枚数が基準枚数を超えていると認識した硬貨制御部１９は一時保留部１４に保管している硬貨を出金搬送部１６に放出して出金搬送部１６により硬貨入出金口１０へ搬送する。そして硬貨入出金口１０に搬送した硬貨を再度繰出部１１に落下させて入金搬送部１３に繰出し、鑑別部１２を経由させて金種別スタッカ１５へ搬送し、金種別に収納してステップＳＡ７へ移行する。
【００３０】
ＳＡ７、硬貨制御部１９は硬貨収納処理が終了したことを終了通知として主制御部７へ送信する。
終了通知を受信した主制御部７は表示入力部２に取引が終了したことを通知する画面を表示して顧客により挿入されたカード等と共に取引明細票を排出する。そして顧客がこれらを受取った後、表示入力部２に取引選択画面を表示して待機する。
【００３１】
なお、上記においては入金取引としての預入取引を例に説明したが現金振込取引の場合も同様である。
以上説明したように、投入された硬貨の枚数が基準枚数以下であるときに投入された硬貨をオーバーフロースタッカへ直接収納するので入金取引にかかる時間が短縮できる。
なお、本実施例において基準値を硬貨枚数で設定するとして説明したが、基準値を硬貨の合計金額や投入された硬貨に含まれる高い頻度で使用される金種の硬貨の枚数を基準値としてもよい。
【００３２】
また現金自動取引装置を利用するために並んでいる顧客の待ち人数に対する基準人数を設定しておき、現金自動取引装置に顧客人数検知部を設けてそれにより検知された顧客の人数と基準人数とを比べて硬貨の収納先を決定するようにしてもよい。
なお、上記各実施例の金種別スタッカ内の硬貨が減少して釣銭として用いる硬貨が不足した場合はオーバーフロースタッカ内の硬貨を繰出して再度鑑別し、金種別スタッカに収納するようにするとよい。
【００３３】
また、上記各実施例では現金自動取引装置に設けられた硬貨取扱装置を例に説明したが、券売機等の硬貨を取扱う自動取引装置に適用すれば同様の効果を得ることができる。
【図面の簡単な説明】
【００３４】
【図１】実施例１の硬貨入出金部を示す説明図
【図２】実施例１の現金自動取引装置を示すブロック図
【図３】実施例１の硬貨入出金部の制御系統を示すブロック図
【図４】実施例１の硬貨収納処理を示すフローチャート
【図５】実施例２の硬貨収納処理を示すフローチャート
【符号の説明】
【００３５】
１    現金自動取引装置
２    表示入力部
３    カード取扱部
４    通帳取扱部
５    紙幣入出金部
６    硬貨入出金部
７    主制御部
８    取引装置記憶部
１０  硬貨入出金口
１１  繰出部
１２  鑑別部
１３  入金搬送部
１４  一時保留部
１５  金種別スタッカ
１６  出金搬送部
１７  オーバーフロースタッカ
１８  ガイド部
１９  硬貨制御部
２０  硬貨記憶部
【図１】
2005208944.tif 000003
【図２】
2005208944.tif 000004
【図３】
2005208944.tif 000005
【図４】
2005208944.tif 000006
【図５】
2005208944.tif 000007